(57)【特許請求の範囲】
【請求項１】
カルシウムを２５０ｍｇ／Ｌ以上含有する有機排水を処理する嫌気排水処理装置であって、
前記有機排水に対して嫌気性生物処理を行うための嫌気反応槽と、
前記嫌気反応槽内のｐＨを６以上８以下に調整するｐＨ調整手段と、
前記嫌気反応槽内の導電率を１２，０００μＳ／ｃｍ以上２５，０００μＳ／ｃｍ以下に調整する導電率調整手段と、
を備えることを特徴とする嫌気排水処理装置。
【請求項２】
請求項１に記載の嫌気排水処理装置であって、
前記導電率の調整に高塩濃度排水を使用することを特徴とする嫌気排水処理装置。
【請求項３】
請求項１または２に記載の嫌気排水処理装置であって、
前記導電率調整手段は、前記嫌気反応槽内のｐＨが６以上７．５未満の場合には、前記嫌気反応槽内の導電率を１２，０００μＳ／ｃｍ以上２５，０００μＳ／ｃｍ以下に調整し、前記嫌気反応槽内のｐＨが７．５以上８以下の場合には、前記嫌気反応槽内の導電率を１６，０００μＳ／ｃｍ以上２５，０００μＳ／ｃｍ以下に調整することを特徴とする嫌気排水処理装置。
【請求項４】
カルシウムを２５０ｍｇ／Ｌ以上含有する有機排水を処理する嫌気排水処理方法であって、
前記有機排水に対して嫌気性生物処理を行う嫌気反応槽内のｐＨを６以上８以下に調整するとともに、前記嫌気反応槽内の導電率を１２，０００μＳ／ｃｍ以上２５，０００μＳ／ｃｍ以下に調整して処理することを特徴とする嫌気排水処理方法。
【請求項５】
請求項４に記載の嫌気排水処理方法であって、
前記導電率の調整に高塩濃度排水を使用することを特徴とする嫌気排水処理方法。
【請求項６】
請求項４または５に記載の嫌気排水処理方法であって、
前記嫌気反応槽内のｐＨが６以上７．５未満の場合には、前記嫌気反応槽内の導電率を１２，０００μＳ／ｃｍ以上２５，０００μＳ／ｃｍ以下に調整し、前記嫌気反応槽内のｐＨが７．５以上８以下の場合には、前記嫌気反応槽内の導電率を１６，０００μＳ／ｃｍ以上２５，０００μＳ／ｃｍ以下に調整して処理することを特徴とする嫌気排水処理方法。
【請求項７】
請求項４〜６のいずれか１項に記載の嫌気排水処理方法であって、
前記有機排水が、製糖工場の排水であることを特徴とする嫌気排水処理方法。
【発明の詳細な説明】
【技術分野】
【０００１】
本発明は、高濃度のカルシウムを含有する有機排水を嫌気性生物処理する嫌気排水処理装置および嫌気排水処理方法に関する。
【背景技術】
【０００２】
砂糖は、甘蔗または甜菜を圧搾して得られたジュースより、不純物を除去して製造される。不純物の除去は通常、２段階で行われる。第１段階では、前記ジュースに石灰を加えタンパク質やペクチン等を凝集させた後に、炭酸を吹きこみ、炭酸カルシウムを生成させて非糖成分を吸着し、ろ過する。第２段階では、イオン交換樹脂により、アミノ酸、有機酸、イオン類、色素等を除去する。甜菜を原料とする場合には、原材料である甜菜を、細菌の繁殖を防ぐ目的で、石灰水で洗浄している。
【０００３】
このような経緯より、製糖工場の排水は有機物の濃度が高い上、自ずとカルシウムの濃度も高くなる。また、精製用のイオン交換樹脂の再生に使用される高塩濃度の再生水も、排出される。
【０００４】
従来、高濃度のカルシウムを含有する排水を嫌気性生物処理する場合、嫌気反応槽内、配管等でカルシウムスケールが発生し、通水困難な状況となったり、グラニュールにカルシウムスケールが蓄積して活性が下がり処理性能が低下することがあった。
【０００５】
嫌気性生物処理においてカルシウムスケール発生を防止するために、被処理水や嫌気反応槽内のｐＨを制御し、酸性にして処理する方法が提案されている（例えば、特許文献１，２参照）。
【０００６】
通常、製糖工場の排水は上記の通り有機物の濃度が高く、有機酸類等を多く含んでおり、嫌気性生物処理技術が適用されるが、このような嫌気性生物処理の過程では、有機酸が消費されるため、ｐＨが嫌気反応槽内でアルカリに傾きがちになる。したがって、有機物の濃度が高い製糖工場の有機排水については、特許文献１，２のような方法でｐＨを酸性にしてスケール発生を防止しようとしても、嫌気反応槽内全域にわたってｐＨを均一の範囲になるように制御することが困難であり、特許文献１，２のような方法は事実上実施されていない。
【０００７】
一方、カルシウムスケール発生を防止するために、嫌気性生物処理の前処理としてカルシウムを難溶性の塩として分離除去する方法が提案されている（例えば、特許文献３〜５参照）。
【０００８】
しかし、特許文献３〜５のような方法ではカルシウムスケール発生を防止して嫌気性生物処理を行うことは可能となるが、大量のカルシウム由来の汚泥廃棄物が発生してしまい、実用的ではないという問題があった。
【先行技術文献】
【特許文献】
【０００９】
【特許文献１】特開２０００−３２５９９０号公報
【特許文献２】特開平０９−３１４１８７号公報
【特許文献３】特開昭６１−０１５７９８号公報
【特許文献４】特開２００５−１９３１８９号公報
【特許文献５】特開平０５−０３８４９９号公報
【発明の概要】
【発明が解決しようとする課題】
【００１０】
本発明の目的は、高濃度のカルシウムを含有する有機排水を嫌気性生物処理する際に、カルシウム由来の汚泥廃棄物をほとんど発生させることなく、スケール発生を抑制することができる嫌気排水処理装置および嫌気排水処理方法を提供することにある。
【課題を解決するための手段】
【００１１】
本発明は、カルシウムを２５０ｍｇ／Ｌ以上含有する有機排水を処理する嫌気排水処理装置であって、前記有機排水に対して嫌気性生物処理を行うための嫌気反応槽と、前記嫌気反応槽内のｐＨを６以上８以下に調整するｐＨ調整手段と、前記嫌気反応槽内の導電率を１２，０００μＳ／ｃｍ以上２５，０００μＳ／ｃｍ以下に調整する導電率調整手段と、を備える嫌気排水処理装置である。
【００１２】
また、前記嫌気排水処理装置において、前記導電率の調整に高塩濃度排水を使用することが好ましい。
【００１３】
また、本発明は、カルシウムを２５０ｍｇ／Ｌ以上含有する有機排水を処理する嫌気排水処理方法であって、前記有機排水に対して嫌気性生物処理を行う嫌気反応槽内のｐＨを６以上８以下に調整するとともに、前記嫌気反応槽内の導電率を１２，０００μＳ／ｃｍ以上２５，０００μＳ／ｃｍ以下に調整して処理する嫌気排水処理方法である。
【００１４】
また、前記嫌気排水処理方法において、前記導電率の調整に高塩濃度排水を使用することが好ましい。
【００１５】
また、前記嫌気排水処理方法において、前記有機排水が、製糖工場の排水であることが好ましい。
【発明の効果】
【００１６】
本発明によれば、高濃度のカルシウムを含有する有機排水を嫌気性生物処理する際に、嫌気反応槽内のｐＨおよび導電率を所定の値に調整して処理することによって、カルシウム由来の汚泥廃棄物をほとんど発生させることなく、スケール発生を抑制することができる。
【図面の簡単な説明】
【００１７】
【図１】本発明の実施形態に係る嫌気排水処理装置の一例を示す概略構成図である。
【図２】実施例１における、各ｐＨにおけるカルシウム析出量の結果を示す図である。
【図３】実施例２における、経過日数と、被処理水、処理水のｐＨおよびカルシウム濃度とを示す図である。
【図４】実施例２における、経過日数と、被処理水、処理水のＣＯＤｃｒ濃度および除去速度とを示す図である。
【図５】実施例３における、各ｐＨにおける嫌気グラニュール汚泥のメタン生成活性を示す図である。
【図６】実施例３における、各導電率における嫌気グラニュール汚泥のメタン生成活性を示す図である。
【図７】実施例において用いた嫌気排水処理装置を示す概略構成図である。
【発明を実施するための形態】
【００１８】
本発明の実施の形態について以下説明する。本実施形態は本発明を実施する一例であって、本発明は本実施形態に限定されるものではない。
【００１９】
製糖工場の排水のような、カルシウム濃度の高い排水、特に有機物濃度とカルシウム濃度の高い排水を嫌気処理する際に、被処理水の導電率を高める（イオン濃度を高める）ことで、ｐＨがアルカリ側に傾いたとしても異種イオン効果によりスケール発生を抑制することで、装置内の閉塞、グラニュール汚泥等へのカルシウムスケールの蓄積等が抑制され、高負荷で安定な処理が実現されることを見出し、本発明に至った。
【００２０】
本発明の実施形態に係る嫌気排水処理装置の一例の概略を図１に示し、その構成について説明する。嫌気排水処理装置１は、嫌気性生物処理を行うための嫌気反応槽１０と、嫌気反応槽１０内のｐＨを調整するｐＨ調整手段としてのｐＨ調整剤槽１２と、嫌気反応槽１０内の導電率を調整する導電率調整手段としての導電率調整剤槽１４とを備える。
【００２１】
図１の嫌気排水処理装置１において、被処理水を嫌気反応槽１０に導入する被処理水配管１６が嫌気反応槽１０の入口に接続され、処理水を嫌気反応槽１０から排出する処理水配管１８が嫌気反応槽１０の出口に接続されている。また、ｐＨ調整剤槽１２からｐＨ調整剤を嫌気反応槽１０に供給するｐＨ調整剤配管２０、導電率調整剤槽１４から導電率調整剤を嫌気反応槽１０に供給する導電率調整剤配管２２がそれぞれ嫌気反応槽１０に接続されている。嫌気反応槽１０の前段側に、被処理水を貯留し、被処理水のｐＨおよび導電率を調整するための調整槽（図示せず）を設置してもよい。
【００２２】
嫌気排水処理装置１において、被処理水は被処理水配管１６を通して嫌気反応槽１０に導入され、嫌気反応槽１０において嫌気性生物処理が行われる（嫌気性生物処理工程）。嫌気性生物処理工程において、嫌気反応槽１０では、ｐＨ調整剤槽１２からｐＨ調整剤がポンプ等によりｐＨ調整剤配管２０を通して嫌気反応槽１０に供給されてｐＨが８以下に調整されるとともに、導電率調整剤槽１４から導電率調整剤がポンプ等により導電率調整剤配管２２を通して嫌気反応槽１０に供給されて導電率が１２，０００μＳ／ｃｍ以上に調整される。嫌気性生物処理が行われた処理水は処理水配管１８を通して排出される。
【００２３】
本実施形態では、高濃度のカルシウムを含有する有機排水を嫌気性生物処理する際に、嫌気反応槽１０内のｐＨを８以下に、導電率を１２，０００μＳ／ｃｍ以上に調整して処理することによって、スケール発生による装置内の閉塞、グラニュール汚泥等へのカルシウムスケールの蓄積等が抑制され、高負荷で安定な処理が実現される。従来の高濃度のカルシウムを含有する有機排水の嫌気性生物処理では、嫌気反応槽の前段でカルシウム除去しなければならないために、カルシウム由来の汚泥廃棄物が大量に発生する問題があった。また、カルシウムを嫌気反応槽の前段で除去しない場合には、グラニュール汚泥等にカルシウムスケールが蓄積するために処理効率が不安定であった。それに対し、本実施形態においては、嫌気反応槽内のｐＨおよび導電率を所定の値に制御するという簡便な制御により、安定した嫌気性生物処理を行うことが可能となる。
【００２４】
本実施形態に係る嫌気排水処理装置および嫌気排水処理方法では、被処理水として、カルシウムを２５０ｍｇ／Ｌ以上、例えば、２５０〜１，３００ｍｇ／Ｌ含有する有機排水を処理対象とする。このような有機排水としては、例えば、ビート糖等の製糖工場等から発生する排水が挙げられる。
【００２５】
また、本実施形態では、被処理水として、例えば、ＣＯＤｃｒが５００ｍｇ／Ｌ以上、好ましくは１，０００〜２０，０００ｍｇ／Ｌである有機排水を処理対象とする。
【００２６】
本実施形態において、カルシウムの析出を抑制するために、例えば、被処理水のカルシウム濃度が２５０ｍｇ／Ｌの場合、ＩＣ（無機炭素）が７８５ｍｇＣ／Ｌ以下となるようにすることが好ましく、被処理水のカルシウム濃度が７００ｍｇ／Ｌの場合、ＩＣ（無機炭素）が２８０ｍｇＣ／Ｌ以下となるようにすることが好ましい。
【００２７】
本実施形態では嫌気反応槽１０内のｐＨを８以下とすればよいが、７．５以下とすることが好ましい。また、嫌気反応槽１０内のｐＨを６以上８以下の範囲とすることが好ましく、６以上７．５以下の範囲とすることがより好ましく、７以上７．５以下の範囲とすることがさらに好ましい。嫌気反応槽１０内のｐＨが８を超えると、スケールが発生する場合がある。嫌気反応槽１０内のｐＨが６未満では、汚泥の活性が低下する場合がある（図５参照）。
【００２８】
本実施形態では嫌気反応槽１０内の導電率を１２，０００μＳ／ｃｍ以上とすればよいが、１６，０００μＳ／ｃｍ以上とすることが好ましい。また、嫌気反応槽１０内の導電率を１２，０００以上２５，０００μＳ／ｃｍ以下の範囲とすることが好ましく、１６，０００以上２５，０００μＳ／ｃｍ以下の範囲とすることがより好ましい。嫌気反応槽１０内の導電率が１２，０００μＳ／ｃｍ未満であると、スケールが発生する場合がある。嫌気反応槽１０内の導電率が２５，０００μＳ／ｃｍを超えると、汚泥の活性が低下する場合がある。
【００２９】
また、嫌気反応槽１０内のｐＨが７．５未満の場合には、導電率を１２，０００μＳ／ｃｍ以上とし、ｐＨを７．５以上８以下とする場合には、導電率を１６，０００μＳ／ｃｍ以上とすることにより、スケールの発生量をより低減することができる。
【００３０】
ｐＨを調整する方法としては特に限定されず、例えば、嫌気反応槽１０内にｐＨ測定装置等のｐＨ測定手段を設置して、フィードバック制御等により、嫌気反応槽１０内に供給するｐＨ調整剤の添加量を調整すればよい。あるいは、有機物濃度が大きく変動せず、所定の範囲内で安定している場合には、被処理水にｐＨ調整剤を添加してｐＨを調整することにより、安定した処理を行うことができる。この場合は、例えば、嫌気反応槽１０の前段側に設置した調整槽（図示せず）において被処理水にｐＨ調整剤を添加してｐＨを調整してもよいし、被処理水配管１６において被処理水にｐＨ調整剤を添加してｐＨを調整してもよい。
【００３１】
ｐＨ調整剤としては、塩酸、硫酸、リン酸等の無機酸等の酸や、水酸化ナトリウム等のアルカリ等を適宜使用することができる。
【００３２】
導電率を調整する方法としては特に限定されず、例えば、嫌気反応槽１０に導電率測定装置等の導電率測定手段を設置して、フィードバック制御等により、嫌気反応槽１０内に供給する導電率調整剤の添加量を調整すればよい。あるいは、嫌気反応槽１０への被処理水の導入前に、高塩濃度の排水を比較的低塩濃度の排水に混合することによって、導電率を調節してもよい。例えば、嫌気反応槽１０の前段側に設置した調整槽（図示せず）において被処理水に導電率調整剤を添加して導電率を調整してもよいし、被処理水配管１６において被処理水に導電率調整剤を添加して導電率を調整してもよい。
【００３３】
導電率調整剤としては、食塩水等の塩を含む高塩濃度水等が挙げられるが、例えば、本装置を設置または本方法を行う工場等の内部で発生する高塩濃度排水、例えば同じ製糖工場等内から排出されるイオン交換樹脂の再生排水を使用することが、効率的であり、好ましい。
【００３４】
高塩濃度排水の導電率は、例えば、２０，０００μＳ／ｃｍ以上、好ましくは２０，０００〜１００，０００μＳ／ｃｍの範囲であればよい。
【００３５】
嫌気反応槽１０で行われる嫌気性生物処理の方法としては、ＵＡＳＢ（Ｕｐｆｌｏｗ  Ａｎａｅｒｏｂｉｃ  Ｓｌｕｄｇｅ  Ｂｌａｎｋｅｔ：上向流嫌気性スラッジブランケット）法やＥＧＳＢ（Ｅｘｐａｎｄｅｄ  Ｇｒａｎｕｌａｒ  Ｓｌｕｄｇｅ  Ｂｅｄ：膨張粒状汚泥床）法等に代表されるグラニュールを利用した上向流汚泥床式嫌気処理方法が使用可能であるが、担体を使用した流動床式嫌気処理や嫌気ＭＢＲ（膜分離活性汚泥）法も使用可能である。流動床式嫌気処理や嫌気ＭＢＲ法を使用することによって、より完全混合型に近い形状でｐＨ調整が可能となり、嫌気反応槽内でｐＨ勾配等がほとんど発生せず、よりｐＨ調整のためのｐＨ調整剤の消費量を抑制して、安定した処理が可能となる。
【００３６】
より好ましくは、嫌気ＭＢＲ法を使用するとｐＨ調整をより均一に調整することができる上に、汚泥濃度を高く維持できることで、グラニュール法と同程度の負荷で処理可能となる。
【００３７】
担体の種類としては、ポリウレタン等のスポンジ担体、ＰＶＡ（ポリビニルアルコール）ゲル担体、繊維状の担体、不織布成型品、ポリプロピレン製の成型品等を使用することができる。種汚泥としては、特に限定されるものではないが、食品工場、飲料工場、製紙工場や化学工場、畜産排水処理等で使用されている嫌気処理の汚泥、グラニュール、または下水処理場の消化汚泥等を使用することができる。
【００３８】
本実施形態に係る嫌気排水処理装置および嫌気排水処理方法では、例えば、５ｋｇＣＯＤｃｒ／ｍ3／ｄ以上、好ましくは１０ｋｇＣＯＤｃｒ／ｍ3／ｄ以上の高負荷で処理することができる。
【００３９】
通常、ビート糖の製糖工場からは例えば表１中の排水Ａ，Ｂ，Ｃのような組成の排水が排出される。例えば、これらの排水を混合し、導電率を適切に制御した上で、被処理水または嫌気反応槽内のｐＨを管理することで、嫌気性生物処理を効率的に行うことができる。ここで、排水Ａは、イオン交換樹脂再生排水を含む高塩濃度排水であり、排水Ｂは、カルシウムを含む高塩濃度排水であり、排水Ｃは、高ｐＨ、高Ｃａ（消石灰）排水であり、混合排水は、実流量に合わせて、Ａ：Ｂ：Ｃ＝２：４：４の割合（容量（Ｌ）比）で混合させた排水である。このように高塩濃度の排水Ａ，Ｂを比較的低塩濃度の排水Ｃに混合することで、導電率を１２，０００μＳ／ｃｍ以上に調節することができる。
【００４０】
【表１】
0005827897.tif 000002
【実施例】
【００４１】
以下、実施例および比較例を挙げ、本発明をより具体的に詳細に説明するが、本発明は、以下の実施例に限定されるものではない。
【００４２】
＜実施例１＞
模擬排水（ＩＣ（無機炭素）：２００ｍｇ／Ｌ、Ｃａ濃度：５００ｍｇ／Ｌ）を用いて、各導電率、各ｐＨ条件におけるカルシウム析出量を分析した。ｐＨは、硫酸または苛性ソーダ、導電率は塩化ナトリウム（ＮａＣｌ）を用いて調整した。
【００４３】
図２に本試験で得られたカルシウム析出量の結果を示す。
【００４４】
このように、嫌気反応槽内のｐＨを８以下、導電率を１２，０００μＳ／ｃｍ以上に調整することによって、カルシウム析出量が抑制できることを確認した。これにより、カルシウムスケールの発生を防止できることが明らかになった。特に、嫌気反応槽内のｐＨが７．５未満の場合には、導電率を１２，０００μＳ／ｃｍ以上とし、ｐＨを７．５以上８以下とする場合には、導電率を１６，０００μＳ／ｃｍ以上とすることにより、カルシウム析出量が抑制できた。導電率が１２，０００μＳ／ｃｍ未満の排水では、ｐＨ７．５でもカルシウムの析出量が多かった。
【００４５】
＜実施例２＞
表１に記載の実排水を処理する場合、導電率を１２，０００μＳ／ｃｍ以上に調整する排水の組み合わせとしては、例えば排水Ａ：排水Ｂ：排水Ｃ＝２：４：４であるので、この配合に従い、嫌気性生物処理を行った。実排水を用いた連続通水試験にて、被処理水および処理水のカルシウム濃度を測定することでカルシウムの蓄積について検討した。被処理水は、塩酸を用いてｐＨ８．９を６．７に調整（導電率は、２０，０００〜２４，９００μＳ／ｃｍに上昇）して通水した。
【００４６】
用いた装置の概略構成を図７に示す。図７の嫌気排水処理装置３において、嫌気反応槽１０の前段側に調整槽２４が設けられている。被処理水を調整槽２４に導入する被処理水配管１６が調整槽２４の入口に接続され、被処理水を調整槽２４から嫌気反応槽１０へ導入する被処理水配管２６が嫌気反応槽１０への入口に接続され、処理水を嫌気反応槽１０から排出する処理水配管１８が嫌気反応槽１０の出口に接続されている。また、ｐＨ調整剤槽１２からｐＨ調整剤を調整槽２４に供給するｐＨ調整剤配管２０、導電率調整剤槽１４から導電率調整剤を調整槽２４に供給する導電率調整剤配管２２がそれぞれ調整槽２４に接続されている。処理水配管１８の途中には、バルブ等を介して、処理水を調整槽２４に返送する返送配管２８が接続されている。調整槽２４、嫌気反応槽１０および返送配管２８の少なくとも１つにはｐＨ測定手段であるｐＨ測定計３０が設置され、調整槽２４には導電率測定手段である導電率計３２が設置されていてもよい。
【００４７】
嫌気排水処理装置３において、被処理水は被処理水配管１６を通して調整槽２４に導入され、調整槽２４において、ｐＨが８以下に調整されるとともに、導電率が１２，０００μＳ／ｃｍ以上に調整された後、嫌気反応槽１０に導入されて嫌気性生物処理が行われる（嫌気性生物処理工程）。嫌気性生物処理が行われた処理水は処理水配管１８を通して排出される。調整槽２４において被処理水の希釈が必要な場合には、処理水が嫌気反応槽１０から返送配管２８を通して調整槽２４へ返送されてもよい。
【００４８】
被処理水水質および処理水水質を表２に示す。
【００４９】
【表２】
0005827897.tif 000003
【００５０】
（嫌気性生物処理条件）
嫌気反応槽        ＵＡＳＢ型  ０．８Ｌ
汚泥濃度          ３３，９００ｍｇ／Ｌ
被処理水供給量    ４．４Ｌ／日
被処理水負荷      １７．７ｋｇＣＯＤｃｒ／ｍ3／ｄ
【００５１】
経過日数と被処理水、処理水のｐＨおよびカルシウム濃度とを図３に、経過日数とＣＯＤｃｒ濃度および除去速度とを図４に示す。汚泥性状の変化を表３に、グラニュール汚泥のメタン生成活性を表４に示す。
【００５２】
【表３】
0005827897.tif 000004
【００５３】
【表４】
0005827897.tif 000005
【００５４】
図３より、被処理水のｐＨを８以下にして通水することで、被処理水中のカルシウムが嫌気排水処理装置にスケールとして蓄積することがほとんどなく、処理水に流出することを確認した。このとき、被処理水のｐＨは６から６．８程度であり、処理水のｐＨは７程度であった。また、表３の汚泥性状の結果から、３ヵ月後にも汚泥性状のＶＳＳ／ＳＳ比の変化がなく、グラニュール汚泥にもカルシウム蓄積がほとんどないことを確認した。さらに、図４より、通水試験前後で汚泥当たりのメタン生成活性が落ちることなく、逆に少し上昇していることを確認した。
【００５５】
本結果より、ビート糖の製糖工場から排出される排水のｐＨを８以下に調整して通水することでカルシウム蓄積がほとんど見られず、１０ｋｇＣＯＤｃｒ／ｍ3／ｄ以上の高負荷で処理できる効果を確認した。
【００５６】
＜実施例３＞
実排水を用いて、各ｐＨ、導電率における嫌気グラニュール汚泥のメタン生成活性について評価した。結果を図５，６に示す。図５は、各ｐＨにおける嫌気グラニュール汚泥のメタン生成活性を示し、図６は、各導電率における嫌気グラニュール汚泥のメタン生成活性を示す。
【００５７】
本結果より、ｐＨ６未満では活性が低下し、ｐＨ８以上ではカルシウムスケールの析出が増大することから、ｐＨ６以上８以下、好ましくはｐＨ６以上７．５以下で調整することが適していることを確認した。また、導電率は２５，０００μＳ／ｃｍを超えると、メタン生成活性が低下して処理性能が落ちることを確認した。
【符号の説明】
【００５８】
１，３  嫌気排水処理装置、１０  嫌気反応槽、１２  ｐＨ調整剤槽、１４  導電率調整剤槽、１６，２６  被処理水配管、１８  処理水配管、２０  ｐＨ調整剤配管、２２  導電率調整剤配管、２４  調整槽、２８  返送配管、３０  ｐＨ測定計、３２  導電率計。
【図１】
0005827897.tif 000006
【図５】
0005827897.tif 000007
【図６】
0005827897.tif 000008
【図７】
0005827897.tif 000009
【図２】
0005827897.tif 000010
【図３】
0005827897.tif 000011
【図４】
0005827897.tif 000012